(57)【要約】【課題】洗浄力および安定性に優れる液体漂白剤組成物の提供。【解決手段】成分（Ａ）：過酸化水素と、成分（Ｂ）：下記式（Ｉ）で表される有機溶剤と、成分（Ｃ）：ノニオン界面活性剤とを含む、液体漂白剤組成物。［化１］2019065209.tif 000007  ただし、Ｒ１〜Ｒ３は、それぞれ独立に水素原子または炭素数１〜３のアルキル基であり、Ｒ４は、水素原子またはアセチル基である。【選択図】なし【特許請求の範囲】
【請求項１】
成分（Ａ）：過酸化水素と、
成分（Ｂ）：下記式（Ｉ）で表される有機溶剤と、
成分（Ｃ）：ノニオン界面活性剤と
を含む、液体漂白剤組成物。
【化１】
2019065209.tif 000006
ただし、Ｒ１〜Ｒ３は、それぞれ独立に水素原子または炭素数１〜３のアルキル基であり、Ｒ４は、水素原子またはアセチル基である。
【請求項２】
前記成分（Ａ）の含有量が、液体漂白剤組成物のうち０．１〜６質量％であり、前記成分（Ｂ）の含有量が、液体漂白剤組成物のうち０．１〜３０質量％であり、前記成分（Ｃ）の含有量が、液体漂白剤組成物のうち０．５〜７０質量％である、請求項１に記載の液体漂白剤組成物。
【発明の詳細な説明】
【技術分野】
【０００１】
本発明は、液体漂白剤組成物に関する。
【背景技術】
【０００２】
液体漂白剤組成物は、被洗物に付着した汚れを漂白する効果を有している。漂白剤として過酸化水素を含む液体漂白剤組成物は、色柄物にも使用できる手軽さから現在広く使用されている。液体漂白剤組成物には、さらなる汚れ洗浄力が求められている。
【０００３】
液体漂白剤組成物としては、下記のものが知られている。
（１）過酸化水素とアルキレンオキサイド付加体と非石鹸系アニオン界面活性剤と、飽和脂肪酸とを含む液体漂白剤組成物（特許文献１）。
（２）半極性界面活性剤と過酸化水素と脂肪酸またはその塩とを含む液体洗浄剤（特許文献２）。
【先行技術文献】
【特許文献】
【０００４】
【特許文献１】特開２０１０−２２９４０５号公報
【特許文献２】特開２０１６−１８３２５３号公報
【発明の概要】
【発明が解決しようとする課題】
【０００５】
（１）の液体漂白剤組成物は、柔軟剤の使用に伴う黄ばみを抑制できるとされている。しかし、発生してしまった黄ばみに対する洗浄力は十分ではない。
（２）の液体洗浄剤は、衣類の黄ばみに対する洗浄力により優れるとされている。しかし、保存中に沈殿、分離が発生しやすい（安定性が低い）。
本発明は、洗浄力および安定性に優れる液体漂白剤組成物を提供する。
【課題を解決するための手段】
【０００６】
本発明は、下記の態様を有する。
＜１＞成分（Ａ）：過酸化水素と、成分（Ｂ）：下記式（Ｉ）で表される有機溶剤と、成分（Ｃ）：ノニオン界面活性剤とを含む、液体漂白剤組成物。
【化１】
2019065209.tif 000002
ただし、Ｒ１〜Ｒ３は、それぞれ独立に水素原子または炭素数１〜３のアルキル基であり、Ｒ４は、水素原子またはアセチル基である。
＜２＞前記成分（Ａ）の含有量が、液体漂白剤組成物のうち０．１〜６質量％であり、前記成分（Ｂ）の含有量が、液体漂白剤組成物のうち０．１〜３０質量％であり、前記成分（Ｃ）の含有量が、液体漂白剤組成物のうち０．５〜７０質量％である、前記＜１＞の液体漂白剤組成物。
＜３＞水をさらに含み、水の含有量が、液体漂白剤組成物のうち１０〜９７質量％である、前記＜１＞または＜２＞の液体漂白剤組成物。
＜４＞界面活性剤の総含有量が、液体漂白剤組成物のうち０．５〜８０質量％である、前記＜１＞〜＜３＞のいずれかの液体漂白剤組成物。
＜５＞成分（Ｃ）／成分（Ｂ）で表される質量比が、０．１〜３０である、前記＜１＞〜＜４＞のいずれかの液体漂白剤組成物。
＜６＞成分（Ｃ）／成分（Ａ）で表される質量比が、０．１〜５０である、前記＜１＞〜＜５＞のいずれかの液体漂白剤組成物。
＜７＞成分（Ｃ）／総界面活性剤で表される質量比が、０．２以上である、前記＜１＞〜＜６＞のいずれかの液体漂白剤組成物。
【発明の効果】
【０００７】
本発明の液体漂白剤組成物は、洗浄力および安定性に優れる。
【発明を実施するための形態】
【０００８】
本明細書および特許請求の範囲において数値範囲を示す「〜」は、その前後に記載された数値を下限値および上限値として含むことを意味する。
【０００９】
本発明の漂白剤組成物は、以下の成分（Ａ）、成分（Ｂ）および成分（Ｃ）を含む組成物である。
【００１０】
＜成分（Ａ）＞
成分（Ａ）は、過酸化水素である。成分（Ａ）は、漂白効果を有し、洗浄力を向上する成分である。
成分（Ａ）の含有量は、液体漂白剤組成物のうち０．１〜６質量％が好ましく、０．５〜５質量％がより好ましく、１．５〜４質量％がさらに好ましい。成分（Ａ）の含有量が前記範囲の下限値以上であれば、洗浄力が向上しやすい。成分（Ａ）の含有量が前記範囲の上限値以下であれば、安定性が向上しやすい。
【００１１】
＜成分（Ｂ）＞
成分（Ｂ）は、下記式（Ｉ）で表される有機溶剤である。成分（Ｂ）は、洗浄力を向上するとともに、安定性を向上する成分である。
【００１２】
【化２】
2019065209.tif 000003
【００１３】
ただし、Ｒ１〜Ｒ３は、それぞれ独立に水素原子または炭素数１〜３のアルキル基であり、Ｒ４は、水素原子またはアセチル基である。
成分（Ｂ）としては、本発明の効果を発揮しやすい点から、Ｒ１〜Ｒ３のうち２または３個が水素原子であるものが好ましい。Ｒ１〜Ｒ３におけるアルキル基の炭素数としては、本発明の効果を発揮しやすい点から、１または２が好ましく、１がより好ましい。Ｒ４としては、本発明の効果を発揮しやすい点から、水素原子が好ましい。
【００１４】
成分（Ｂ）としては、３−メトキシブタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキシ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテートが挙げられる。成分（Ｂ）としては、本発明の効果を発揮しやすい点から、３−メトキシブタノール、３−メトキシ−３−メチルブタノール、３−メトキシ−２メチルブタノール、３−メトキシ−１−メチルブタノール、３−メトキシ−３−メチルブチルアセテートが好ましく、３−メトキシ−３−メチルブタノールがより好ましい。成分（Ｂ）は、１種を単独で用いてもよく、２種以上を併用してもよい。
【００１５】
成分（Ｂ）の含有量は、液体漂白剤組成物のうち０．１〜３０質量％が好ましく、０．５〜２０質量％がより好ましく、３〜１０質量％がさらに好ましい。成分（Ｂ）の含有量が前記範囲の下限値以上であれば、洗浄力および安定性が向上しやすい。成分（Ｂ）の含有量が前記範囲の上限値を超えても、洗浄力および安定性の向上効果は小さい。
【００１６】
＜成分（Ｃ）＞
成分（Ｃ）は、ノニオン界面活性剤である。成分（Ｃ）は、洗浄力を向上する成分である。
成分（Ｃ）としては、ポリオキシアルキレン型ノニオン界面活性剤、アルキルフェノール、高級アミン等のアルキレンオキシド付加体、ポリオキシエチレンポリオキシプロピレンブロックコポリマー、脂肪酸アルカノールアミン、脂肪酸アルカノールアミド、多価アルコール脂肪酸エステルまたはそのアルキレンオキシド付加体、多価アルコール脂肪酸エーテル、アルキル（またはアルケニル）アミンオキシド、硬化ヒマシ油のアルキレンオキシド付加体、糖脂肪酸エステル、Ｎ−アルキルポリヒドロキシ脂肪酸アミド、アルキルグリコシド等が挙げられる。成分（Ｃ）は、１種を単独で用いてもよく、２種以上を併用してもよい。
【００１７】
成分（Ｃ）としては、液体漂白剤組成物の安定性の点から、ポリオキシアルキレン型ノニオン界面活性剤が好ましい。
ポリオキシアルキレン型ノニオン界面活性剤としては、下記式（ＩＩ）で表される化合物が挙げられる。
Ｒ１１−Ｘ−［（ＥＯ）ｐ／（ＰＯ）ｑ］−Ｒ１２  （ＩＩ）
ただし、Ｒ１１は、炭化水素基であり、Ｘは、２価の連結基であり、Ｒ１２は、水素原子、アルキル基またはアルケニル基であり、ＥＯは、オキシエチレン基であり、ｐは、ＥＯの平均の数であり、ＰＯは、オキシプロピレン基であり、ｑはＰＯの平均の数である。
【００１８】
Ｒ１１の炭素数は、６〜２２が好ましく、８〜２２がより好ましく、１０〜１８がさらに好ましい。Ｒ１１の炭化水素基は、直鎖であっても分岐鎖であってもよく、不飽和結合を有していても有していなくてもよい。
−Ｘ−としては、−Ｏ−、−ＣＯＯ−、−ＣＯＮＨ−等が挙げられ、−Ｏ−が好ましい。
−Ｘ−が−Ｏ−のとき、Ｒ１２としては、水素原子が好ましい。
ｐは、３〜２０が好ましく、５〜１８がさらに好ましい。ｑは、０〜６が好ましく、０〜３がより好ましい。ｐとｑの合計は、５〜２０が好ましい。ｑが０でない場合、ＥＯとＰＯとは、ブロック状に付加されていてもよく、ランダム状に付加されていてもよい。ＥＯとＰＯとをブロック状に付加する方法としては、例えば、エチレンオキシドを導入した後にプロピレンオキシドを導入する方法、プロピレンオキシドを導入した後にエチレンオキシドを導入する方法が挙げられる。エチレンオキシドおよびプロピレンオキシドの付加モル数分布は特に限定されない。
【００１９】
成分（Ｃ）の含有量は、液体漂白剤組成物のうち０．５〜７０質量％が好ましく、１０〜６５質量％がより好ましく、２０〜６０質量％がさらに好ましい。成分（Ｃ）の含有量が前記範囲の下限値以上であれば、洗浄力が向上しやすい。成分（Ｃ）の含有量が前記範囲の上限値以下であれば、安定性が向上しやすい。
【００２０】
成分（Ｃ）／成分（Ｂ）で表される質量比（以下、Ｃ／Ｂ比とも記す。）は、０．１〜３０が好ましく、０．５〜２０がより好ましく、１〜１５がさらに好ましい。Ｃ／Ｂ比が前記範囲の下限値以上であれば、本発明の効果を発揮しやすい。Ｃ／Ｂ比が前記範囲の上限値以下であれば、安定性が向上しやすい。
【００２１】
成分（Ｃ）／成分（Ａ）で表される質量比（以下、Ｃ／Ａ比とも記す。）は、０．１〜５０が好ましく、２〜３０がより好ましく、５〜２５がさらに好ましい。Ｃ／Ａ比が前記範囲内であれば、洗浄力が向上しやすい。
【００２２】
＜任意成分＞
本発明の液体漂白剤組成物は、成分（Ａ）〜成分（Ｃ）以外に、液体漂白剤組成物に通常用いられる任意成分を含んでもよい。
任意成分としては、溶媒、成分（Ｃ）以外の界面活性剤、ｐＨ調整剤、キレート剤、ラジカルトラップ剤、成分（Ｂ）以外の有機溶剤、緩衝剤、香料、ハイドロトロープ剤、漂白活性化剤、抗菌剤、防腐剤が挙げられる。
【００２３】
溶媒としては、水が挙げられる。
水の含有量は、液体漂白剤組成物のうち１０〜９７質量％が好ましく、１５〜８０質量％がより好ましく、２０〜６０質量％がさらに好ましい。水の含有量が前記範囲の下限値以上であれば、安定性が向上しやすい。水の含有量が前記範囲の上限値以下であれば、洗浄力が向上しやすい。
【００２４】
成分（Ｃ）以外の界面活性剤としては、アニオン界面活性剤、カチオン界面活性剤、両性界面活性剤、半極性界面活性剤等が挙げられる。
アニオン界面活性剤としては、直鎖アルキルベンゼンスルホン酸またはその塩、α−オレフィンスルホン酸塩、直鎖状または分岐鎖状のアルキル硫酸エステル塩、アルキルエーテル硫酸エステル塩、アルケニルエーテル硫酸エステル塩、アルカンスルホン酸塩、α−スルホ脂肪酸エステル塩、カルボン酸型のアニオン界面活性剤（脂肪酸塩、アルキルエーテルカルボン酸塩、ポリオキシアルキレンエーテルカルボン酸塩、アルキルアミドエーテルカルボン酸塩、アルケニルアミドエーテルカルボン酸塩、アシルアミノカルボン酸塩等）、リン酸エステル型のアニオン界面活性剤（アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等）等が挙げられる。塩形態としては、アルカリ金属塩（ナトリウム塩、カリウム塩等）、アルカリ土類金属塩（マグネシウム塩等）、アルカノールアミン塩（モノエタノールアミン塩、ジエタノールアミン塩等）等が挙げられる。
【００２５】
カチオン界面活性剤としては、例えば、アルキルトリメチルアンモニウム塩、ジアルキルジメチルアンモニウム塩、アルキルベンジルジメチルアンモニウム塩、アルキルピリジニウム塩等が挙げられ、アルキルトリメチルアンモニウム塩が好ましい。これらの塩の対イオンとしては、ハロゲンイオンとしてフッ化物イオン、塩化物イオン、臭化物イオン、ヨウ化物イオン等が挙げられ、アルキル硫酸イオンとして、炭素数１〜３のアルキル基を有するものが好ましく、例えばメチル硫酸イオン、エチル硫酸イオン等が挙げられる。カチオン界面活性剤は、設備への腐食性の点から、メチル硫酸塩、エチル硫酸塩として用いることが好ましい。
両性界面活性剤としては、アルキルカルボキシベタイン、アルキルスルホベタイン、アルキルヒドロキシスルホベタイン、アルキルアミドベタイン、イミダゾリニウムベタイン等が挙げられる。
半極性界面活性剤としては、アミンオキシド型界面活性剤であるラウリルジメチルアミンオキシド、ラウリン酸アミドプロピルジメチルアミンオキシド等が挙げられる。
【００２６】
界面活性剤の総含有量は、液体漂白剤組成物のうち１〜８０質量％が好ましく、１０〜７０質量％がより好ましく、３０〜６０質量％がさらに好ましい。界面活性剤の総含有量が前記範囲の下限値以上であれば、洗浄力が向上しやすい。界面活性剤の総含有量が前記範囲の上限値以下で、本発明の効果が見えやすい。
【００２７】
成分（Ｃ）／総界面活性剤で表される質量比（以下、Ｃ／総活性剤比とも記す。）は、０．２以上が好ましく、０．４以上がより好ましく、０．６以上がさらに好ましい。Ｃ／総活性剤比が前記範囲の下限値以上であれば、洗浄力が向上しやすい。Ｃ／総活性剤比の上限値は１である。
【００２８】
ｐＨ調整剤としては、水酸化ナトリウム、塩酸、硫酸、水酸化ナトリウム、水酸化カリウム、モノエタノールアミン、ジエタノールアミン、トリエタノールアミン、アンモニア等が挙げられる。
本発明の液体漂白剤組成物のｐＨは、１〜８が好ましく、２〜６がより好ましい。ｐＨが前記範囲の下限値以上であれば、洗浄力が向上しやすい。ｐＨが前記範囲の上限値以下であれば、安定性が向上しやすい。液体漂白剤組成物（２５℃）のｐＨは、ｐＨメーター（東亜ディーケーケー株式会社製、ＨＭ−３０Ｇ）等によって測定される値を示す。
【００２９】
キレート剤としては、１−ヒドロキシエタン−１，１−ジホスホン酸等のホスホン酸系キレート剤が挙げられる。キレート剤の含有量は、液体漂白剤組成物のうち０．１〜２質量％が好ましい。
ラジカルトラップ剤としては、ｐ−メトキシフェノール、ジブチルヒドロキシトルエン等が挙げられる。ラジカルトラップ剤の含有量は、液体漂白剤組成物のうち０．０１〜１質量％が好ましい。
成分（Ｂ）以外の有機溶剤としては、フェニルジグリコール、ブチルカルビトールが挙げられる。成分（Ｂ）以外の有機溶剤の含有量は、液体漂白剤組成物のうち０．１〜１０質量％が好ましい。
緩衝剤としては、クエン酸、ホウ酸化合物、例えば四ホウ酸ナトリウム等が挙げられる。緩衝剤の含有量は、液体漂白剤組成物のうち０．０１〜２質量％が好ましい。
香料としては、香料原料単体、または、香料原料と香料用溶剤と香料安定化剤等とからなる香料組成物が挙げられる。衣料用等の液体洗浄剤、液体漂白洗浄剤、液体漂白剤等に通常用いられる香料が挙げられる。香料の含有量は、液体漂白剤組成物のうち０．０１〜１．０質量％が好ましい。
ハイドロトロープ剤としては、炭素数２〜４のアルコール類、グリコール類、ポリグリコール類、アルキルエーテル類等の水混和性有機溶剤、トルエンスルホン酸、キシレンスルホン酸、安息香酸塩、尿素等が挙げられる。ハイドロトロープ剤の含有量は、液体漂白剤組成物のうち０．０１〜１５質量％が好ましい。
【００３０】
漂白活性化剤は、それ自体は漂白効果を持たないが、液体漂白剤組成物中で過酸化水素と反応して酸化力の高い有機過酸に変わる物質である。漂白活性化剤としては、テトラアセチルエチレンジアミン、炭素数１〜１８（好ましくは炭素数８〜１２）のアルカノイル基を有するアルカノイルオキシベンゼンスルホン酸またはその塩、炭素数１〜１８（好ましくは炭素数８〜１２）のアルカノイル基を有するアルカノイルオキシ安息香酸またはその塩が挙げられる。このうち、４−デカノイルオキシ安息香酸（ＤＯＢＡ）、４−ドデカノイルオキシベンゼンスルホン酸ナトリウム（ＤＯＢＳ）、４−ノナノイルオキシベンゼンスルホン酸ナトリウム（ＮＯＢＳ）が好ましい。これら漂白活性化剤は１種単独で用いてもよく、２種以上を併用してもよい。漂白活性化剤の含有量は、液体漂白剤組成物のうち０．１〜２質量％が好ましく、０．２〜１．５質量％がより好ましく、０．４〜１質量％がさらに好ましい。漂白活性化剤の含有量が前記範囲の下限値以上であれば、液体漂白剤組成物における黄ばみに対する漂白力が高まる。漂白活性化剤の含有量が前記範囲の上限値以下であれば、安定性が向上しやすい。
液体漂白剤組成物に含まれる各成分の含有量の合計は、１００質量％を超えない。
【００３１】
＜液体漂白剤組成物の製造方法＞
本発明の液体漂白剤組成物は、例えば、成分（Ａ）と成分（Ｂ）と成分（Ｃ）と、必要に応じて任意成分とを混合し、必要に応じて所定のｐＨになるように調整することによって製造できる。
【００３２】
＜液体漂白剤組成物の使用方法＞
本発明の漂白剤組成物の使用方法は、例えば、液体漂白剤組成物を単独でまたは公知の洗浄剤や柔軟剤とともに水に入れて洗浄液とし、この洗浄液に被洗物を入れ、洗濯機で洗浄する方法、液体漂白剤組成物をあらかじめ水に溶解し、これに被洗物を浸漬し、その後洗濯機で洗浄する方法等が挙げられる。また、液体漂白剤組成物を被洗物に塗布した後、適宜放置し、その後、通常の洗濯を行ってもよい。
被洗物としては、例えば、衣料、布帛、シーツ、カーテン、絨毯等の繊維製品が挙げられる。
洗浄液中の液体漂白剤組成物の含有量は、特に限定されない。水に対する液体漂白剤組成物の添加量は、例えば、水１０Ｌ当たり、液体漂白剤組成物３〜１５ｍＬとされる。
【実施例】
【００３３】
以下、本発明を実施例によって具体的に説明するが、本発明はこれらに限定されるものではない。
【００３４】
＜各成分＞
（成分（Ａ））
・ａ−１：過酸化水素（３５質量％工業用過酸化水素、三菱ガス化学株式会社製）。
（成分（Ｂ））
・ｂ−１：３−メトキシ−３−メチルブタノール（クラレ社製、商品名「ソルフィット」、式（Ｉ）中、Ｒ１＝メチル基、Ｒ２＝水素原子、Ｒ３＝水素原子、Ｒ４＝水素原子）。
（成分（Ｂ’））
・ｂ’−１：エタノール：日本アルコール販売株式会社製、商品名「特定アルコール９５度合成」。
（成分（Ｃ））
・ｃ−１：炭素数１２および１４の天然アルコール（第１級アルコール）に１０モル相当のエチレンオキシドを付加したもの。式（ＩＩ）中、Ｒ１１＝炭素数１２および炭素数１４の直鎖状のアルキル基、−Ｘ−＝−Ｏ−、ｐ＝１０、ｑ＝０、Ｒ１２＝水素原子。
・ｃ−２：ポリオキシエチレンアルキルエーテル（ライオン株式会社製、商品名「レオックスＣＬ−６０」、式（ＩＩ）中、Ｒ１１＝炭素数１２および炭素数１４の直鎖状のアルキル基、−Ｘ−＝−Ｏ−、ｐ＝６、ｑ＝０、Ｒ１２＝水素原子）。
・ｃ−３：炭素数１２〜１４の第２級アルコールに、７モル相当のエチレンオキシドを付加したもの（株式会社日本触媒製、商品名「ソフタノール７０」）。式（ＩＩ）中、Ｒ１１＝炭素数１２〜１４の分岐鎖のアルキル基、−Ｘ−＝−Ｏ−、ｐ＝７、ｑ＝０、Ｒ１２＝水素原子。
・ｃ−４：炭素数１２〜１４の第２級アルコールに、５モル相当のエチレンオキシドを付加したもの（株式会社日本触媒製、商品名「ソフタノール５０」）。式（ＩＩ）中、Ｒ１１＝炭素数１２〜１４の分岐鎖のアルキル基、−Ｘ−＝−Ｏ−、ｐ＝５、ｑ＝０、Ｒ１２＝水素原子。
・ｃ−５：天然アルコール（質量比で炭素数１２の第１級アルコール／炭素数１４の第１級アルコール＝７／３）に、８モル相当のエチレンオキシド、２モル相当のプロピレンオキシド、８モル相当のエチレンオキシドを、この順にブロック付加させて得られたノニオン界面活性剤。
・ｃ−６：ポリオキシエチレン硬化ヒマシ油（青木油脂工業株式会社製、ブラウノンＣＷ―２０―９０）。
【００３５】
（アニオン界面活性剤）
・石鹸：日油株式会社製、商品名「椰子脂肪酸」。
・ＡＥＳ：ポリオキシアルキレンアルキルエーテル硫酸ナトリウム塩（ポリオキシエチレンラウリルエーテル硫酸ナトリウム、ＥＯの平均付加モル数２）（新日本理化株式会社製、商品名「シノリン ＳＰＥ―１２５０」）。
・ＡＥＰＳ：下記の合成方法によって得られたポリオキシエチレンポリオキシプロパン−１，２−ジイルアルキルエーテル硫酸エステルのモノエタノールアミン塩。
撹拌装置、温度制御装置および自動導入装置を備えたオートクレーブ内に、炭素数１２の直鎖の第１級アルコール（東京化成工業株式会社製、商品名「１−ドデカノール」、分子量１８６．３３、純度＞９９％）の６４０ｇと、ＫＯＨの１．０ｇとを仕込み、１１０℃、１．３ｋＰａにて３０分間脱水を行った。脱水後、窒素置換を行い、１２０℃まで昇温した後、プロパン−１，２−ジイルオキシドの１９９ｇを仕込んだ。次いで、１２０℃にて付加反応・熟成を行った後、１４５℃に昇温し、エチレンオキシドの３０３ｇを仕込んだ。次いで、１４５℃にて付加反応・熟成を行った後、８０℃まで冷却し、４．０ｋＰａで未反応のエチレンオキシドを除去した。未反応のエチレンオキシドを除去した後、酢酸の１．０ｇをオートクレーブ内に加え、８０℃で３０分間撹拌した後、抜き出しを行い、アルキル基がドデシル基、ＰＯの平均付加モル数が１．０、ＥＯの平均付加モル数が２．０であるアルコキシレートを得た。得られたアルコキシレートを、ＳＯ３ガスを用いて下降薄膜式反応器により硫酸化した。得られた硫酸化物をモノエタノールアミンにて中和し、ポリオキシエチレンポリオキシプロパン−１，２−ジイルアルキルエーテル硫酸エステルのモノエタノールアミン塩（ＡＥＰＳ）を含む組成物を得た。
・ＬＡＳ：直鎖アルキル（炭素数１０〜１４）ベンゼンスルホン酸（ライオン株式会社製、商品名「ライポンＬＨ−２００」）
（半極性界面活性剤）
・ＡＰＡＸ：ラウリン酸アミドプロピルジメチルアミンオキシド（クラリアント社製、商品名「ＧＥＮＡＭＩＮＯＸ  ＡＰ」）。
（カチオン界面活性剤）
・カチオン：ラウリルジメチルエチルアンモニウムエチルサルフェート（第一工業製薬株式会社製、商品名「カチオーゲンＥＳ−Ｌ」）
【００３６】
（キレート剤）
・ＨＥＤＰ：１−ヒドロキシエタン−１，１−ジホスホン酸（ローディア社製、商品名「ＢＲＩＱＵＥＳＴ  ＡＤＰＡ」）。
（ラジカルトラップ剤）
・ｐ−メトキシフェノール（川口化学工業社製、商品名「ＭＱ−Ｆ」）。
（緩衝剤）
・クエン酸：関東化学株式会社製、試薬「クエン酸」。
・ホウ酸化合物：四ホウ酸ナトリウム・五水塩（Ｂｏｒａｘ社製、「Ｎｅｏｂｏｒ」）。
（香料）
・香料：特開２００２−１４６３９９号公報の表１１〜１８に記載の香料組成物Ａ。
（ハイドロトロープ剤）
・パラトルエンスルホン酸：関東化学社製。
（漂白活性化剤）
・ＯＢＳ：４−ラウロイルオキシベンゼンスルホン酸ナトリウム（日東化成株式会社製）。
（抗菌剤）
・ＰＨＭＢ：ポリヘキサメチレンビグアニド（ロンザジャパン株式会社製、商品名「Ｐｒｏｘｅｌ  ＩＢ」）。
・ダイクロサン：４，４’−ジクロロ−２’−ヒドロキシジフェニルエーテル（ＢＡＳＦ社製、商品名「Ｔｉｎｏｓａｎ  ＨＰ１００」）。
（アルカリ剤）
・モノエタノールアミン（株式会社日本触媒製、商品名「モノエタノールアミン」）。
（ｐＨ調整剤）
・水酸化ナトリウム：鶴見曹達株式会社製。
・硫酸：東邦亜鉛株式会社製。
（溶媒）
・水：精製水
【００３７】
＜実施例１〜６、比較例１〜５＞
（液体漂白剤組成物の調製）
表１または表２に示す組成にしたがって各成分を混合し、ｐＨ調整剤を加えてｐＨが表１または表２の値となるよう調整して各組成物を得た。
表中の配合量の単位は「質量％」であり、いずれの成分も純分換算量を示す。
表中の空欄はその成分が配合されていないことを示す。
【００３８】
＜洗浄力＞
市販の綿肌シャツ（ＢＶＤ社製、綿１００％）を２０〜４０代男性が１日着用した。着用後の綿肌シャツと、市販の綿肌シャツ（ＢＶＤ社製、綿１００％）とを合計７００ｇになるように調整し、全自動洗濯機（Ｈａｉｅｒ社製、ＪＷ−Ｚ２３Ａ）に投入した。次いで衣料用液体洗剤（ＪＡＦＥＴ標準洗剤）を１６ｍＬ投入し、洗浄、すすぎ、脱水を洗濯機の標準コースで行い、綿肌シャツを洗濯した。洗濯後の綿肌シャツを衣類用電気乾燥機（ＴＯＳＨＩＢＡ社製、ＥＤ−４５Ｃ）の標準コースで乾燥した。この着用から、洗濯、乾燥までの操作を２０回繰り返した衣類を、引き出し棚に室温で１年間保管した。この試験衣料の胴部から５ｃｍ×５ｃｍの大きさの布を切り出し、測色色差計（日本電色社製、「ＳＥ２０００」）でｂ値を測定し、ほぼ同じ値を示すもの（ｂ値＝５±０．５）を評価布（洗浄前の評価布）とした。
【００３９】
評価布５枚をプラスチック製シャーレの上に重ならないように広げ、評価布１枚につき各例の液体漂白剤組成物を０．２ｍＬずつ滴下した後、室温で１０分間放置した。放置後の評価布と、チャージ布（綿）４３ｇとを、水道水（１５℃）９００ｍＬとともに洗浄試験機（Ｔｅｒｇ−Ｏ−Ｔｏｍｅｔｅｒ）に入れ、１２０ｒｐｍで１０分間洗浄した。この際、実施例１〜３、６および比較例１〜４の液体漂白剤組成物では洗剤（ライオン株式会社製、商品名「トップクリアリキッド」）０．７５ｇをいれ、実施例４〜５および比較例５の液体漂白剤組成物では洗剤を追加せずに洗浄した。洗浄後に、脱水を行い、水道水（１５℃）９００ｍＬで３分間のすすぎを行った。すすぎ後の評価布を脱水しアイロンで乾燥したものを洗浄後の評価布とした。
【００４０】
洗浄前の評価布および洗浄後の評価布５枚について、それぞれ反射率を測色色差計（日本電色社製、「ＳＥ２０００」）で測定し、洗浄率（％）を下記式（ｓ）より算出した。
洗浄率（％）＝１００×（洗浄前の評価布の反射率−洗浄後の評価布の反射率）／（洗浄前の評価布の反射率−未汚染布の反射率）  ・・・（ｓ）
なお、式（ｓ）中、未汚染布は、新品の綿肌シャツ（ＢＶＤ社製、綿１００％）の胴部から５ｃｍ×５ｃｍの大きさに切り出した布である。
評価布５枚の洗浄率の平均値を洗浄力とし、下記判断基準で黄ばみに対する洗浄力を評価した。◎、○、△を合格とした。結果を表１および表２に示す。
◎：３５％以上。
○：３０％以上３５％未満。
△：２５％以上３０％未満。
×：２５％未満。
【００４１】
＜安定性＞
透明のガラス製瓶に、各例の液体漂白剤組成物１００ｇをそれぞれ充填し、蓋を閉めて密封した。この瓶を５０℃恒温槽に１週間静置して保存した。
かかる保存の後、液の外観を目視で観察し、下記評価基準にしたがって、液体漂白剤組成物の保存安定性を評価した。結果を表１および表２に示す。
○：無色透明であった。
×：沈殿・分離が認められた。
【００４２】
【表１】
2019065209.tif 000004
【００４３】
【表２】
2019065209.tif 000005
【００４４】
本発明を適用した実施例１〜５はいずれも、洗浄力および安定性が優れていた。
成分（Ｂ）を含まない比較例１では、洗浄力が劣っていた。
成分（Ｃ）を含まない比較例２では、洗浄力が劣っていた。
成分（Ａ）を含まない比較例３では、洗浄力が劣っていた。
成分（Ｂ）の代わりに成分（Ｂ’）を含む比較例４では、洗浄力が劣っていた。
成分（Ｂ）を含まない比較例５では、安定性が劣っていた。
【産業上の利用可能性】
【００４５】
本発明の液体漂白剤組成物は、洗浄力および安定性に優れるため、家庭用、工業用等の液体漂白剤組成物として有用である。